(57)【要約】  ネットワークシステムを介してパルスオキシメータの使用を追跡する方法が、対応するパルスオキシメータ識別データを備える患者情報をネットワークサーバにアップロードするステップと、上記パルスオキシメータを患者監視デバイスに接続するステップと、上記接続されたパルスオキシメータ識別データ及び状態データを上記患者監視デバイスを介して取得するステップと、上記接続されたパルスオキシメータを用いてパルスオキシメータデータを取得及び格納するステップと、上記取得されたパルスオキシメータデータと、上記取得されたパルスオキシメータ識別データと、上記取得された状態データとを上記ネットワークサーバに送信するステップと、上記送信されたパルスオキシメータ識別データと、上記ネットワークサーバに格納された上記アップロードされたパルスオキシメータ識別データとをマッチングさせるステップと、上記送信されたパルスオキシメータデータを上記患者情報に関連付けるステップとを有する。
2019504376.tif 000002
【特許請求の範囲】
【請求項１】
ネットワークシステムを介してパルスオキシメータの使用を追跡する方法において、
患者の情報及び前記患者に関連付けられるパルスオキシメータを識別するパルスオキシメータ識別データを格納するステップであって、前記患者情報及び前記パルスオキシメータ識別データがネットワークサーバに格納される、ステップと、
前記パルスオキシメータを患者監視デバイスに接続するステップであって、前記患者監視デバイスが、前記パルスオキシメータ識別データ及び状態データを提供される、ステップと、
前記接続されたパルスオキシメータを使用してパルスオキシメータデータを監視するステップと、
前記パルスオキシメータデータ、前記パルスオキシメータ識別データ及び前記状態データを前記患者監視デバイスから前記ネットワークサーバに送信するステップと、
前記送信されたパルスオキシメータ識別データと、前記ネットワークサーバに格納された前記パルスオキシメータ識別データとをマッチングするステップと、
前記送信されたパルスオキシメータデータを前記格納された患者情報に関連付けるステップと、
前記送信されたパルスオキシメータ識別データとマッチする過去のパルスオキシメータデータを前記ネットワークサーバから前記患者監視デバイスに送信するステップと、
受信した過去のパルスオキシメータデータを患者監視デバイスデータベースに格納するステップとを有する、方法。
【請求項２】
前記患者情報及び前記パルスオキシメータ識別データを前記ネットワークサーバにアップロードするステップを更に有する、請求項１に記載の方法。
【請求項３】
前記パルスオキシメータ識別データが、符号化された画像をスキャンすることにより前記ネットワークサーバにアップロードされる、請求項２に記載の方法。
【請求項４】
前記符号化された画像が、バーコード、ＱＲコード、又はＲＦＩＤタグのいずれかである、請求項３に記載の方法。
【請求項５】
別の患者監視デバイスが、前記患者監視デバイスデータベースにアクセスし、過去のパルスオキシメータデータを取得する、請求項１に記載の方法。
【請求項６】
前記状態データが、前記パルスオキシメータの状態に関する情報を含み、前記状態は、「接続された」、「切断された」、「使用中」、又は「誤作動」の少なくとも１つである、請求項１に記載の方法。
【請求項７】
ネットワークシステムを介してパルスオキシメータの使用を追跡するシステムであって、
パルスオキシメータデータを測定するパルスオキシメータと、
患者監視デバイスであって、前記患者監視デバイスに接続される前記パルスオキシメータからパルスオキシメータ識別データ、状態データ及びパルスオキシメータデータを取得する、患者監視デバイスと、
患者の情報、及び前記患者に関連付けられる前記パルスオキシメータを識別するパルスオキシメータ識別データを格納するネットワークサーバとを有し、
前記患者監視デバイスが、前記パルスオキシメータデータ、前記パルスオキシメータ識別データ、及び前記状態データを前記ネットワークサーバに送信し、
前記ネットワークサーバは、前記送信されたパルスオキシメータ識別データと、前記ネットワークサーバに格納された前記パルスオキシメータ識別データとをマッチングさせ、前記送信されたパルスオキシメータデータと前記格納された患者情報とを関連付け、及び前記送信されたパルスオキシメータ識別データにマッチする過去のパルスオキシメータデータを前記患者監視デバイスに送信し、
前記患者監視デバイスが、受信した過去のパルスオキシメータデータを患者監視デバイスデータベースに格納する、システム。
【請求項８】
前記患者情報及び前記パルスオキシメータ識別データが前記ネットワークサーバにアップロードされる、請求項７に記載のシステム。
【請求項９】
前記パルスオキシメータ識別データが、符号化された画像をスキャンすることにより前記ネットワークサーバにアップロードされる、請求項８に記載のシステム。
【請求項１０】
前記符号化された画像が、バーコード、ＱＲコード、又はＲＦＩＤタグのいずれかである、請求項９に記載のシステム。
【請求項１１】
前記状態データが、前記パルスオキシメータの状態に関する情報を含み、前記状態は、「接続された」、「切断された」、「使用中」、又は「誤作動」の少なくとも１つである、請求項７に記載のシステム。
【請求項１２】
ネットワークシステムを介してパルスオキシメータの使用を追跡する方法を実行するためのプロセッサにより実行可能なプログラムが格納された非一時的なコンピュータ可読記憶媒体であって、前記方法が、
患者の情報及び前記患者に関連付けられるパルスオキシメータを識別するパルスオキシメータ識別データを格納するステップであって、前記患者情報及び前記パルスオキシメータ識別データがネットワークサーバに格納される、ステップと、
前記パルスオキシメータを患者監視デバイスに接続するステップであって、前記患者監視デバイスが、前記パルスオキシメータ識別データ及び状態データを提供される、ステップと、
前記接続されたパルスオキシメータを使用してパルスオキシメータデータを監視するステップと、
前記パルスオキシメータデータ、前記パルスオキシメータ識別データ及び前記状態データを前記患者監視デバイスから前記ネットワークサーバに送信するステップと、
前記送信されたパルスオキシメータ識別データと、前記ネットワークサーバに格納された前記パルスオキシメータ識別データとをマッチングするステップと、
前記送信されたパルスオキシメータデータを前記格納された患者情報に関連付けるステップと、
前記送信されたパルスオキシメータ識別データとマッチする過去のパルスオキシメータデータを前記ネットワークサーバから前記患者監視デバイスに送信するステップと、
受信した過去のパルスオキシメータデータを患者監視デバイスデータベースに格納するステップとを有する、非一時的なコンピュータ可読記憶媒体。
【発明の詳細な説明】
【技術分野】
【０００１】
効果的な医療サービスを提供するには、医療デバイスの使用を追跡することが不可欠である。忙しい病院環境において各医療デバイスを追跡する作業は、医療従事者に負荷を課す可能性がある。この作業の自動化は今や、医療デバイスをネットワークに接続することで実現されることができる。こうして、医療従事者は、ローカル又は遠隔で医療デバイスにより取得された医療関連情報及びデータに容易にアクセスすることができる。
【背景技術】
【０００２】
典型的には、取得されたデータを患者に関連付けるため、医療従事者は、患者情報を医療デバイスに手動で入力しなければならない。これは、特に患者が様々な病院施設に頻繁に移動し、異なる医療デバイスを使用して異なる検査を受けなければならない場合、退屈なプロセスとなり得る。この問題は、患者が常に持ち運びできる使い捨てのモバイル医療デバイスの使用により部分的に対処されることができる。医療デバイスは、製造業者により割り当てられる識別データを持つ。識別データは、バーコード、ＱＲコード、ＲＦＩＤタグなどの医療デバイスに貼付されるラベルとすることができる。使い捨てモバイル医療デバイスの使用を１人の患者のみに割り当てることにより、医療デバイスの使用の自動追跡が改善されることができる。
【０００３】
ＵＳ２０１３／００８７６０９号は、名前、シリアル番号、製造元、モデル、製造年月日、所有者、及び最初の設置場所などのデバイスに関する情報を得るためにスキャンされることができる２Ｄマトリクスコードを含む医療デバイスを追跡する方法を開示する。この情報は、コンピュータシステムに送信される。次いで、コンピュータシステムは、医療デバイスの監視及び追跡を可能にするインターネットに接続する。
【０００４】
ＵＳ２００４／１０２６８３Ａ１号は、患者により装着される患者監視デバイスとローカルハブとの間に無線通信リンクを提供する患者監視システムを開示する。患者監視システムは、血圧、脈拍数、血糖値、体重、パルスオキシメトリなどの様々な患者の生理学的特性を監視するよう構成される。患者監視デバイスからのデータは、ローカルのハブに無線で送信され、ローカルのハブは、例えば、パブリック又はプライベート通信ネットワークを介してリモートサーバにデータを自動的に転送するよう構成される。サーバは、医師、臨床医、親戚及び患者自身といった指定された第三者による斯かる患者生理学的データへのアクセスを選択的に許可するためのウェブポータルとして構成される。このシステムはまた、測定を行うため患者にリマインダーを提供するよう構成される。
【発明の概要】
【発明が解決しようとする課題】
【０００５】
本発明の態様によれば、請求項に規定される、ネットワークシステムを介してパルスオキシメータの使用を追跡する方法及びシステムが提示される。更に、非一時的なコンピュータ可読記憶媒体が提示される。
【課題を解決するための手段】
【０００６】
本発明は、ネットワークシステムを介した医療デバイスの使用に関する方法に関連する。特に、医療デバイスは、パルスオキシメータ、血圧モニタ、呼吸モニタ、温度モニタなどのバイタルサイン測定デバイスとすることができる。パルスオキシメータ識別データといった対応するバイタルサインデータを備える患者情報が、ネットワークサーバにアップロードされる。パルスオキシメータが患者監視デバイスに接続されると、患者監視デバイスは、パルスオキシメータ識別データ及び状態データを取得する。その後、パルスオキシメータデータが、患者から取得され、患者監視デバイスに格納される。取得されたパルスオキシメータデータ、取得されたパルスオキシメータ識別データ、及び取得された状態データは、ネットワークサーバに送信される。送信されたパルスオキシメータ識別データは、ネットワークサーバに格納されたアップロードされたパルスオキシメータ識別データとマッチングされる。マッチが見つかると、送信されたパルスオキシメータデータは、対応する患者情報に関連付けられる。
【０００７】
本発明はまた、ネットワークシステムを介してパルスオキシメトリの使用を追跡するシステムにも関し、このシステムは、パルスオキシメータデータを取得するパルスオキシメータと、パルスオキシメータ識別データ及び状態データを取得する患者監視デバイスと、対応するパルスオキシメータ識別データを備える患者情報を格納するネットワークサーバとを有する。
【図面の簡単な説明】
【０００８】
【図１】本発明の好ましい実施形態によるネットワークシステムを介してパルスオキシメトリの使用を追跡するシステムのブロックダイアグラムを示す図である。
【図２】本発明の好ましい実施形態によるフローチャートである。
【図３】本発明によるパルスオキシメータ識別データに患者情報を割り当てるグラフィカルユーザインタフェースウィンドウの実施形態を示す図である。
【図４】本発明による対応するパルスオキシメータ識別データを備える患者情報をネットワークサーバにアップロードする方法を示す図である。
【図５】本発明によるネットワークシステムを介してパルスオキシメータの使用を追跡する方法を示す図である。
【図６】本発明による監視ソフトウェアに関する方法を示す図である。
【図７Ａ】患者監視デバイスのデータベースに格納されるデータの実施形態を示す図である。
【図７Ｂ】ネットワークサーバのデータベースに格納されるデータの一実施形態を示す図である。
【発明を実施するための形態】
【０００９】
本発明の更なる理解を提供するために含まれる添付の図面は、本発明の実施形態を示すため本書に組み込まれる。説明とともに、図面は、本発明の原理を説明する役割も果たす。
【００１０】
以下は、本発明の様々な実施形態で使用される用語の定義である。
【００１１】
本書で使用される「患者情報」という用語は、個人を識別するためのデータ又は情報を指す。「患者情報」は、とりわけ、患者の名前、年齢、体重、過去の病歴、入院番号、担当医療従事者、入院日、医療条件又は状態の少なくとも１つを有する。
【００１２】
本書で使用される「識別データ」は、デバイスを識別するためのデータ及び情報を指す。「識別データ」は、とりわけ、シリアル番号、製品タイプ、製品名、製品モデル番号、製造業者名、及び製造年月日の少なくとも１つを有する。
【００１３】
本書で使用される「状態データ」という用語は、デバイスの状態を表すデータ及び情報を指す。「状態データ」は、とりわけ、デバイスが接続されているか、切断されているか、使用中であるか、誤動作しているかを示す。
【００１４】
本書で使用される「データベース」という用語は、データ及び情報が格納、検索、更新、及び操作されることを可能にする態様で、並びにテーブル形式などの１つ以上の形式で提示され、又はテキスト、数字、画像、及び音声データにグループ化されることを可能にする態様で組織化される、データ及び情報の集合を指す。本書で使用される用語「データベース」は、より大きなデータベースの一部を指すこともでき、この場合、ある種のデータベース内データベースを形成する。本書で使用される「データベース」は、ローカルに存在してもよく、又はリモートロケーション、例えばリモートネットワークサーバからアクセスされ得る従来のデータベースをも指す。データベースは典型的には、様々なタイプの揮発性及び不揮発性コンピュータメモリを含むコンピュータメモリに存在する。データベースが存在するメモリは、高速ランダムアクセスメモリ、又は磁気ディスク記憶装置、光記憶装置、及びフラッシュメモリなどの不揮発性メモリを含むことができる。データベースが存在するメモリは、データベースにより受信され、及びデータベースに格納されたデータを処理及び組織化するための１つ又は複数のソフトウェアも含むことができる。
【００１５】
本発明は、ネットワークシステムを介してパルスオキシメータの使用を追跡する方法に関し、この方法は、対応するパルスオキシメータ識別データを備える患者情報をネットワークサーバにアップロードするステップと、上記パルスオキシメータを患者監視デバイスに接続するステップと、上記接続されたパルスオキシメータ識別データ及び状態データを上記患者監視デバイスを介して取得するステップと、上記接続されたパルスオキシメータを用いてパルスオキシメータデータを取得及び格納するステップと、上記取得されたパルスオキシメータデータと、上記取得されたパルスオキシメータ識別データと、上記取得された状態データとを上記ネットワークサーバに送信するステップと、上記送信されたパルスオキシメータ識別データと、上記ネットワークサーバに格納された上記アップロードされたパルスオキシメータ識別データとをマッチングさせるステップと、上記送信されたパルスオキシメータデータを上記患者情報に関連付けるステップとを有する。
【００１６】
本発明は、ネットワークシステムを介してパルスオキシメータの使用を追跡するシステムにも関し、このシステムは、パルスオキシメータデータを取得するパルスオキシメータと、パルスオキシメータ識別データ及び状態データを取得する患者監視デバイスと、対応するパルスオキシメータ識別データを備える患者情報を格納するネットワークサーバとを有する。
【００１７】
図１は、ネットワークシステムを介してパルスオキシメータの使用を追跡するシステムの好ましい実施形態を示す。このシステムは、患者監視デバイス１０２に接続されるパルスオキシメータ１００を有し、患者監視デバイス１０２はネットワーク１０４に接続される。パルスオキシメータ１００は、パルスオキシメータ識別データを格納するメモリ１０６を有する。患者監視デバイス１０２は、ディスプレイ１０８と、通信モジュール１１０と、プロセッサ１１２と、メモリ１１４とを有する。メモリ１１４は更に、データベース１１６を有する。ネットワーク１０４にはサーバ１１８も接続される。サーバ１１８は、プロセッサ１２０と、通信モジュール１２２と、メモリ１２４とを有する。メモリ１２４は、データベース１２６を有する。
【００１８】
パルスオキシメータ１００は好ましくは、血中酸素飽和度、脈拍数、灌流指数、及び呼吸数の少なくとも１つを測定する。血液酸素飽和度は、血流におけるヘモグロビンにより運ばれる酸素の量の尺度である。これは通常、絶対値ではなくパーセンテージとして表される。例えば、出生直後に測定された血中酸素飽和度レベルは、赤ちゃんの一般的な健康状態の良好な指標を提供することができる。７５％未満のレベルは、新生児が何らかの異常を患っている場合があることを示す可能性がある。患者の状態を決定するため、血液酸素飽和度は、酸素で飽和された全ヘモグロビンのパーセンテージとして表されるべきである。多くの状況下では、それは、パルスオキシメータが提供する測定値である。健康な患者に関する許容可能な正常範囲は９５から９９％の範囲である。
【００１９】
脈拍数は、１分間に心臓が鼓動する回数である。脈拍数は、プレチス波形におけるピークにより特徴付けられる。健康な患者に関する許容可能な正常脈拍数は、毎分６０から１００ビート（ｂｐｍ）の範囲である。例えば、４０ｂｐｍの脈拍数は、単純な低血圧又は徐脈を示し得る。一方、１００ｂｐｍ以上の脈拍数は、発熱又は低血糖を示し得る。脈拍数が不規則であるとき、心臓が十分な血液を体に送ることができない不整脈を示し得る。
【００２０】
灌流指数は、患者の末梢組織における脈動性血流と非脈動性静的血流との比である。灌流指数は、パルス強度の指標であり、値は、弱いパルス強度に対して０.０２％から強いパルス強度に対して２０％の範囲である。
【００２１】
呼吸数は、１分あたりの呼吸回数である。呼吸数は、プレチス波形に影響を及ぼす心血管系、呼吸系及び自律神経系における変化に基づかれる。これらの変化は、呼吸数を計算するために使用すされることができる。健康な患者に関する許容可能な正常範囲は、１２から２０呼吸／分の範囲である。呼吸数の異常な範囲は、喘息、肺炎、先天性心疾患又は薬物過量を示し得る。
【００２２】
図２は、本発明の好ましい方法を示す。対応するパルスオキシメータ識別データを備える患者情報が、ネットワークサーバ１１８にアップロードされる（ステップ２００）。患者が医療施設に入院するとき、ポータブルパルスオキシメータ１００が、患者に割り当てられる。医療施設内における各ポータブルパルスオキシメータは、パルスオキシメータ識別データ、例えばシリアル識別番号を持つ。コンピューティングデバイス１２８を使用する医療従事者は、割り当てられたパルスオキシメータのシリアル識別番号及び患者の名前などの患者情報を手動で入力する。所与の情報は、アップロードされ、ネットワークサーバのデータベース１２６に格納される。代替的な実施形態では、パルスオキシメータ識別データは、とりわけ、バーコード、ＱＲコード、ＲＦＩＤタグなどの機械可読表示をスキャンすることにより取得される。
【００２３】
別の実施形態では、パルスオキシメータ１００は、無線又は有線接続を介してコンピューティングデバイス１２８に接続される。次に、コンピューティングデバイス１２８は、パルスオキシメータのメモリ１０６にアクセスし、パルスオキシメータのシリアル識別番号を取得する。
【００２４】
更に別の実施形態では、様々なパルスオキシメータのシリアル識別番号のリストがネットワークサーバのデータベース１２６に格納される。医療従事者は、データベース１２６にアクセスし、コンピューティングデバイス１２８を介して、割り当てられたパルスオキシメータのシリアル識別番号を取得する。次いで、医療従事者は、その特定のパルスオキシメータを使用するために割り当てられた患者の名前を入力する。その後、データベース１２６は所与の情報で更新される。
【００２５】
図２から、パルスオキシメータ１００が患者監視デバイス１０２に接続されるとき（ステップ２０２）、患者監視デバイス１０２は、パルスオキシメータのメモリ１０６にアクセスすることにより、接続されたパルスオキシメータ識別データを取得する（ステップ２０４）。患者監視デバイス１０２は、パルスオキシメータの状態データも取得する（ステップ２０４）。その後、患者のパルスオキシメータパラメータが測定され、患者監視デバイスのデータベース１１６に格納される（ステップ２０６）。パルスオキシメータ１００から患者監視デバイス１０２への接続及びデータ送信は、有線又は無線技術を用いて実現されることができる。取得されたパルスオキシメータデータ、取得されたパルスオキシメータ識別データ、及び取得された状態データは、ネットワークサーバのデータベース１２６に送信される（ステップ２０８）。続いて、送信されたパルスオキシメータ識別データは、ネットワークサーバのデータベース１２６に格納されたアップロードされたパルスオキシメータ識別データとマッチされる（ステップ２１０）。マッチが見つかると、送信されたパルスオキシメータデータが、患者情報に関連付けられる（ステップ２１２）。
【００２６】
図３は、パルスオキシメータ識別データに患者情報を割り当てるグラフィカルユーザインタフェースウィンドウの実施形態を示す。患者セットアップＧＵＩウィンドウ３００は、医療従事者がそれぞれ患者情報及びパルスオキシメータ識別データを入力することができる入力フィールド３０２及び３０４を含む。図３に示されるケースでは、医療従事者は、患者の名前及びパルスオキシメータのシリアル番号を入力する。ウィンドウ３００は更に、入力された情報をネットワークサーバのデータベース１２６に保存するためのアップロードボタン３０６を有する。ウィンドウ３００はオプションで、医療従事者がタッチスクリーンを介して必要な情報を入力することを可能にするキーボード３０８を有する。
【００２７】
図４は、本発明による、対応するパルスオキシメータ識別データを備える患者情報をネットワークサーバにアップロードする方法を示す。このプロセスは、患者セットアップＧＵＩウィンドウ３００をコンピューティングデバイス１２８に表示することにより開始する（ステップ４００）。これは、医療従事者が患者情報及びパルスオキシメータ識別データを入力することを可能にする。コンピューティングデバイス１２８は、医療従事者が「アップロード」オプションを選択するまで繰り返しポーリングされる（ステップ４０２）。「アップロード」が選択されると、患者セットアップＧＵＩウィンドウ３００において入力された情報が、ネットワークデータベース１２６にアップロードされる（ステップ４０６〜４０８）。その後、取得されたパルスオキシメータデータを格納するパルスオキシメータ測定データベースが、ネットワークデータベース１２６において生成される（ステップ４０８）。
【００２８】
図５は、本発明によるネットワークシステムを介してパルスオキシメータの使用を追跡する方法を示す。第１のステップでは、医療従事者が、パルスオキシメータ１００を患者監視デバイス１０２に接続する。パルスオキシメータ１００が、患者監視デバイス１０２との接続を検出すると（ステップ５００）、パルスオキシメータのメモリ１０６に格納されたパルスオキシメータ識別データが送信され、患者監視デバイスのデータベース１１６に保存される（ステップ５０２〜５０４）。次に、患者監視デバイス１０２は、パルスオキシメータ識別データをネットワークサーバ１１８に送信し（ステップ５０６〜５０８）、パルスオキシメータ識別データが、ネットワークサーバのデータベース１２６内のデータと比較される（ステップ５１０）。マッチが見つかる場合、患者情報といったマッチするパルスオキシメータ識別データに関連付けられるデータが送信され、患者監視デバイスのデータベース１１６に保存される（ステップ５１２〜５１４）。その後、監視ソフトウェアが、患者監視デバイス１０２により実行される（ステップ５１６）。
【００２９】
図６は、本発明による監視ソフトウェアに関する方法を示す。まず、パルスオキシメータ及び時間データが取得され、送信され、患者監視デバイスのデータベース１１６に格納される（ステップ６００〜６０２）。次いで、パルスオキシメータ及び時間データが、ネットワークサーバのデータベース１２６に格納されたパルスオキシメータ測定データベースにアップロードされる（ステップ６０４）。その後、患者監視デバイス１０２は、パルスオキシメータ１００がまだ接続されているかどうかを決定する（ステップ６０６）。接続されている場合、ソフトウェアは、パルスオキシメータ及び時間データを取得するためループバックする（ステップ６００）。そうでない場合、ソフトウェアは終了する。
【００３０】
一実施形態では、パルスオキシメータ１００の状態に関する状態データが、患者監視デバイス１０２により生成される。例えば、患者監視デバイス１０２は、パルスオキシメータ１００が接続及び切断された時間を記録する。状態データは、ネットワークサーバのデータベース１２６に送信される。
【００３１】
この状態データから、パルスオキシメータ１００の使用回数及びパルスオキシメータ１００が使用された時間量など、パルスオキシメータ１００に関する情報が抽出されることができる。このデータは、パルスオキシメータ１００のメンテナンスに使用されることができる。抽出された情報は、ネットワークサーバのメモリ１２４に保存され、ネットワーク１０４を介してコンピューティングデバイス１２８を使用してアクセスされることができる。
【００３２】
別の実施形態では、ネットワークサーバのデータベース１２６に格納されたパルスオキシメータ測定データベースからのデータが、患者監視デバイスのデータベース１１６に送信される。これは、別の患者監視デバイスから取得された過去のパルスオキシメータデータを医療従事者が見ることを可能にする。
【００３３】
図７Ａ及び図７Ｂは、それぞれ患者監視デバイスのデータベース７００及びネットワークサーバのデータベース７０２に格納されたデータの例示的な実施形態を示す。両方のデータベースに関して、パルスオキシメータ識別データ、患者情報、及びパルスオキシメトリデータがテーブル形式で組織化される。患者監視デバイスのデータベース７００は、図７Ａに示されるように、接続されたパルスオキシメータのシリアル番号、患者名、及びパルスオキシメトリ測定データベースを有する。一方、ネットワークサーバのデータベース７０２は、図７Ｂに示されるように、パルスオキシメータのシリアル番号のリスト、患者名のリスト、及びパルスオキシメトリ測定データベースのリストとを有する。
【００３４】
本発明の例示的な実施形態では、図７Ａ及び図７Ｂからの情報を用いて、患者「Ｊｏｈｎ  Ｄｏｅ」は、手術のために病院に入院し、シリアル番号「００１-００２-００３-ＡＢＣ」を備える使い捨てパルスオキシメータを与えられている。看護師は、コンピュータを使用して、患者の名前とパルスオキシメータのシリアル番号とをＧＵＩにおいて入力する。看護師は、クラウドデータベース７０２に情報をアップロードする。クラウドデータベースにおいて、新しいデータベース"Ｊｏｈｎ  Ｄｏｅ  ＤＢ"が生成される。この時点で"Ｊｏｈｎ  Ｄｏｅ  ＤＢ"はまだ、いかなるデータも含んでいない。
【００３５】
患者が病院の患者室の１つに入院すると、看護師は、部屋に設置された患者モニタにパルスオキシメータを接続する。接続されると、患者モニタは、パルスオキシメータのシリアル番号「００１-００２-００３-ＡＢＣ」を取得する。次いで、患者モニタは、クラウドネットワークにアクセスし、その特定のパルスオキシメータの取得されたシリアル番号について、監視される患者が「Ｊｏｈｎ  Ｄｏｅ」であると決定する。パルスオキシメータのシリアル番号「００１-００２-００３-ＡＢＣ」及び患者の名前「Ｊｏｈｎ  Ｄｏｅ」は、患者モニタデータベース７００に一時的に格納される。その後、患者モニタは、クラウドデータベース７０２の「Ｊｏｈｎ  Ｄｏｅ  ＤＢ」データベースからデータを取得し、患者モニタデータベース７００に一時的に格納する。患者のパルスオキシメータパラメータは、パルスオキシメータを介して測定される。パルスオキシメータのデータは、患者モニタデータベース７００に格納された「Ｊｏｈｎ  Ｄｏｅ  ＤＢ」データベースに格納される。
【００３６】
手術の時間が近づくとき、患者は手術室に移される。パルスオキシメータは、患者の部屋に設置された患者モニタから切断される。切断されると、患者モニタデータベース７００に格納された「Ｊｏｈｎ  Ｄｏｅ  ＤＢ」データが、クラウドネットワークに送信され、クラウドデータベース７０２に存在する「Ｊｏｈｎ  Ｄｏｅ  ＤＢ」データベースを更新する。その後、患者モニタデータベース７００の「Ｊｏｈｎ  Ｄｏｅ」に対応するデータが消去される。手術室では、看護師は、手術室に設置された患者モニタにパルスオキシメータを接続する。上述のプロセスは、パルスオキシメータが再び切断されるまで繰り返される。データがクラウドに保存された後、ケースをレビューする医師は、クラウドに接続されたコンピューティングデバイスを使用して、データに簡単にアクセスすることができる。
【００３７】
本発明は、上述した本発明のいくつかの例示的な実施形態に限定されるものではない。当業者であれば想像される他の変形も、本開示の範囲に含まれることが意図される。例えば、上述の説明はパルスオキシメータに特有であるが、他のバイタルサインセンサ及びモニタが実現されることも理解されたい。
【図１】
2019504376.tif 000003
【図２】
2019504376.tif 000004
【図３】
2019504376.tif 000005
【図４】
2019504376.tif 000006
【図５】
2019504376.tif 000007
【図６】
2019504376.tif 000008
【図７Ａ】
2019504376.tif 000009
【図７Ｂ】
2019504376.tif 000010
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
ネットワークシステムを介してパルスオキシメータの使用を追跡する方法において、
患者の情報及び前記患者に関連付けられるパルスオキシメータを識別するパルスオキシメータ識別データを格納するステップであって、前記患者情報及び前記パルスオキシメータ識別データがネットワークサーバに格納される、ステップと、
前記パルスオキシメータを患者監視デバイスに接続するステップであって、前記患者監視デバイスが、前記パルスオキシメータ識別データ及び状態データを提供される、ステップと、
前記接続されたパルスオキシメータを使用してパルスオキシメータデータを監視するステップと、
前記パルスオキシメータデータ、前記パルスオキシメータ識別データ及び前記状態データを前記患者監視デバイスから前記ネットワークサーバに送信するステップと、
前記送信されたパルスオキシメータ識別データと、前記ネットワークサーバに格納された前記パルスオキシメータ識別データとをマッチングするステップと、
前記送信されたパルスオキシメータデータを前記格納された患者情報に関連付けるステップと、
前記送信されたパルスオキシメータ識別データとマッチする過去のパルスオキシメータデータを前記ネットワークサーバから前記患者監視デバイスに送信するステップと、
受信した過去のパルスオキシメータデータを患者監視デバイスデータベースに格納するステップとを有する、方法。
【請求項２】
前記患者情報及び前記パルスオキシメータ識別データを前記ネットワークサーバにアップロードするステップを更に有する、請求項１に記載の方法。
【請求項３】
前記パルスオキシメータ識別データが、ラベルをスキャンすることにより前記ネットワークサーバにアップロードされる、請求項２に記載の方法。
【請求項４】
前記ラベルが、バーコード、ＱＲコード、又はＲＦＩＤタグのいずれかである、請求項３に記載の方法。
【請求項５】
別の患者監視デバイスが、前記患者監視デバイスデータベースにアクセスし、過去のパルスオキシメータデータを取得する、請求項１に記載の方法。
【請求項６】
前記状態データが、前記パルスオキシメータの状態に関する情報を含み、前記状態は、「接続された」、「切断された」、「使用中」、又は「誤作動」の少なくとも１つである、請求項１に記載の方法。
【請求項７】
ネットワークシステムを介してパルスオキシメータの使用を追跡するシステムであって、
パルスオキシメータデータを測定するパルスオキシメータと、
患者監視デバイスであって、前記患者監視デバイスに接続される前記パルスオキシメータからパルスオキシメータ識別データ、状態データ及びパルスオキシメータデータを取得する、患者監視デバイスと、
患者の情報、及び前記患者に関連付けられる前記パルスオキシメータを識別するパルスオキシメータ識別データを格納するネットワークサーバとを有し、
前記患者監視デバイスが、前記パルスオキシメータデータ、前記パルスオキシメータ識別データ、及び前記状態データを前記ネットワークサーバに送信し、
前記ネットワークサーバは、前記送信されたパルスオキシメータ識別データと、前記ネットワークサーバに格納された前記パルスオキシメータ識別データとをマッチングさせ、前記送信されたパルスオキシメータデータと前記格納された患者情報とを関連付け、及び前記送信されたパルスオキシメータ識別データにマッチする過去のパルスオキシメータデータを前記患者監視デバイスに送信し、
前記患者監視デバイスが、受信した過去のパルスオキシメータデータを患者監視デバイスデータベースに格納する、システム。
【請求項８】
前記患者情報及び前記パルスオキシメータ識別データが前記ネットワークサーバにアップロードされる、請求項７に記載のシステム。
【請求項９】
前記パルスオキシメータ識別データが、ラベルをスキャンすることにより前記ネットワークサーバにアップロードされる、請求項８に記載のシステム。
【請求項１０】
前記ラベルが、バーコード、ＱＲコード、又はＲＦＩＤタグのいずれかである、請求項９に記載のシステム。
【請求項１１】
前記状態データが、前記パルスオキシメータの状態に関する情報を含み、前記状態は、「接続された」、「切断された」、「使用中」、又は「誤作動」の少なくとも１つである、請求項７に記載のシステム。
【請求項１２】
ネットワークシステムを介してパルスオキシメータの使用を追跡する方法を実行するためのプロセッサにより実行可能なプログラムが格納された非一時的なコンピュータ可読記憶媒体であって、前記方法が、
患者の情報及び前記患者に関連付けられるパルスオキシメータを識別するパルスオキシメータ識別データを格納するステップであって、前記患者情報及び前記パルスオキシメータ識別データがネットワークサーバに格納される、ステップと、
前記パルスオキシメータを患者監視デバイスに接続するステップであって、前記患者監視デバイスが、前記パルスオキシメータ識別データ及び状態データを提供される、ステップと、
前記接続されたパルスオキシメータを使用してパルスオキシメータデータを監視するステップと、
前記パルスオキシメータデータ、前記パルスオキシメータ識別データ及び前記状態データを前記患者監視デバイスから前記ネットワークサーバに送信するステップと、
前記送信されたパルスオキシメータ識別データと、前記ネットワークサーバに格納された前記パルスオキシメータ識別データとをマッチングするステップと、
前記送信されたパルスオキシメータデータを前記格納された患者情報に関連付けるステップと、
前記送信されたパルスオキシメータ識別データとマッチする過去のパルスオキシメータデータを前記ネットワークサーバから前記患者監視デバイスに送信するステップと、
受信した過去のパルスオキシメータデータを患者監視デバイスデータベースに格納するステップとを有する、非一時的なコンピュータ可読記憶媒体。
【国際調査報告】
2019504376.tif 000011
2019504376.tif 000012
2019504376.tif 000013